(57)【特許請求の範囲】
【請求項１】
ベースとこれに重なる３つの蓋とからなっていて一体化される構造の光コネクタ本体と、当該光コネクタ本体上に外装されて前記ベース、蓋に圧接力を付与するバネとを備え、かつ前記ベースおよび蓋の互いに相手側と重ね合せられる対向面の内の少なくとも一方には、光ファイバ心線を突き合せ接続可能に位置決め調心する調心溝が設けられ、かつ前記ベースと蓋との間には開閉手段挿入溝が形成されている光コネクタを開閉するに際し、前記開閉手段挿入溝に、前記３つの蓋にそれぞれ対応し、かつ１つのフレームに回動自在に並列して設けられ、前記３つの蓋に対応する各部をそれぞれ独立して開閉可能な楕円カムからなる開閉手段を挿入し、前記開閉手段を回転させることによって、前記光コネクタのベースと蓋との間を前記バネの力に対抗して開くことが可能とされてなり、
前記回転軸の中央部は断面正方形を成し、この回転軸の中央部を挟みこむ方向に付勢する２枚の板バネを更に備え、前記光コネクタを開き位置または閉じ位置で固定させることを特徴とする光コネクタの接続装置。
【請求項２】
前記開閉手段には、前記楕円カムが一端に取り付けられるとともに前記フレームに軸着される回転軸と、この回転軸の他端に取り付けられ、前記開閉手段を回転させるための略楕円形のつまみを更に備えたことを特徴とする請求項１に記載の光コネクタの接続装置。
【請求項３】
前記ベースには前記調心溝と前記ガイド溝とを複数本並べて形成したことを特徴とする請求項１又は２のいずれか１項に記載の光コネクタの接続装置。
【発明の詳細な説明】
【０００１】
【発明の属する技術分野】
この発明は、光コネクタの接続装置に関するものである。
【０００２】
【従来の技術】
従来提案されているメカニカルな光コネクタの接続装置の一例を、図４〜７について説明する。
なお、図４は全体の斜視図、図５は光コネクタ１０の中心軸を含む断面の説明図、図６は光コネクタ１０の分解説明図、図７は光コネクタ１０の中心軸と直角の断面の説明図である。
【０００３】
この接続装置は、光コネクタ１０と開閉具４０とからなり（図４）、また光コネクタ１０は光コネクタ本体１１とバネ３０とからなる（図６）。
【０００４】
光コネクタ本体１１は、図６のように、半円筒状のベース１２と蓋２０とからなり、これらを重ねて一体化すると概略円筒状になる。
光コネクタ本体１１の対向面１４（上面）に、調心溝１６とガイド溝１８を設ける。調心溝１６に光ファイバ心線５０の裸ファイバ５２を入れ、ガイド溝１８に光ファイバ心線５０の被覆部分５４を入れる。
蓋２０は、例えば中央の蓋２０Ａと端の蓋２０Ｂ，２０Ｃとからなる。
これらのうち、中央の蓋２０Ａは、上記調心溝１６の上に重なり、その対向面（下面）は平らである（図５，７）。
また、端の蓋２０Ｂと２０Ｃは、ガイド溝１８上に重なり、その対向面に上記ガイド溝１８と対応するガイド溝１８’（Ｖ溝又はＵ溝）を設ける（図５）。
【０００５】
２２はヒンジである（図６，７）。これは光コネクタ本体１１と蓋２０の相対位置に形成した凸部２２０と凹部２２２からなる。こけらは互いに回転可能にはまり込んでいる。
さらに、ヒンジ２２と反対側のベース１２と蓋２０間に、開閉手段挿入溝２４を設ける。この役目は後で述べる。
【０００６】
バネ３０は断面がＣ型で、開口部３２を有する。
このバネ３０を、重ね合わせたベース１２，蓋２０上に外装して、互いに圧接させる。
上記光コネクタ本体１１の開閉手段挿入溝２４に対応する位置の、開口部３２を広くして開閉手段挿入窓３４を形成する。
また、中央の蓋２０Ａ，端の蓋２０Ｂ，２０Ｃの境界に対応する位置に、スリット３６を形成し、中央の蓋２０Ａ，端の蓋２０Ｂ，２０Ｃの各々が、個別に加圧できるようにする。
【０００７】
次に、開閉具４０について述べる。これは、図４、図７のように、開閉手段４２を有する。開閉手段４２をテーパー４２０を有する楔状のものとし、その厚みａを開閉手段挿入溝２４の上下幅ｂより大にする。
開閉手段４２は、基材４４から、上記光コネクタ本体１１の開閉手段挿入溝２４と等間隔に突出させる。
【０００８】
［使用方法］
図７（ｂ）のように、開閉手段４２を開閉手段挿入溝２４内に圧入すると、光コネクタ１０の本体１１、蓋２０間はヒンジ２２を軸として僅かに回転して開く。
光ファイバ心線５０の先端の被覆５４を除去して、ほぼ調心溝１６の長さの半分の長さの裸ファイバ５２を口出しし、これを、両側から光コネクタ１０に挿入する。すると、裸ファイバ５２の先端は、ガイド溝１８，調心溝１６を進み、調心溝１６の中央で突き合わされる。
【０００９】
その後、開閉手段４２を後退させる（同図（ａ））。すると、バネ３０の力が働いて、調心溝１６内にある裸ファイバ５２を蓋２０がクランプし、メカニカルに接続する。
【００１０】
【発明が解決しようとする課題】
上記の場合、楔状の開閉手段４２を圧入（打込み）するために、大きな力を必要とする。
また、圧入（打込み）するときの衝撃で、光コネクタのベース１２と蓋２０間にズレの生ずることがある。
さらに、開閉手段４２を挿入するため機構が複雑であり、製作コストが上昇する。
【００１１】
【課題を解決するための手段】
本発明は、開閉手段挿入溝２４に挿入する開閉用の部材を、前記溝２４に挿入した後に回転させる。具体的には、図１に例示するように、開閉具６０の開閉手段６８を、楕円カムとして回転させることを特徴とする。
【００１２】
この場合、楕円カムからなる開閉手段６８の短軸方向の長さを、上記光コネクタ１０の開閉手段挿入溝２４の上下幅ｂより小にし、長軸方向の長さをｂより大にする。
こうすると、楕円カムからなる開閉手段６８に衝撃を与えずに、開閉手段挿入溝２４内に挿入でき、90度回転するだけで本体１１，蓋２０間を開くことができる。したがって、各部材間にズレを生ずる恐れはない。
【００１３】
なお、本明細書に限り、楕円カムの用語の中には、これと同じ作用をするもの、例えば長四角板状カムその他を全てを含むものとする。
【００１４】
【発明の実施の形態】
図１〜３の例について説明する。
光コネクタ１０は上記の従来のものと同じである。
図１の６０は開閉具の全体を示す。
６２はそのフレームで、扁平な四角箱形（上底は在っても無くても可）である。
その前壁６２０と後壁６２２とで、回転軸６４を回転自在に軸受けする。回転軸６４の間隔を光コネクタ１０の開閉手段挿入溝２４の間隔と同じにする。各回転軸６４の中央部６４０だけ断面が正方形となるようにし、この部分に板バネ６６を接触させる。
各回転軸６４の、先端に楕円カムからなる開閉手段６８を取り付け、後端につまみ７０を取り付ける。
【００１５】
なお、上記板バネ６６は、楕円カムの開閉手段６８の回転位置を正しく保持するために用いる。
図１のII−II断面を拡大して図２に示した。
同図（ａ）のときは、板バネ６６が楕円カムの開閉手段６８を横向きに保持し、回転軸６４を回転すると、（ｂ）の状態を経て、（ｃ）のようになり、楕円カムの開閉手段６８を縦向きに保持する。
【００１６】
［開閉具６０の使用方法］
主に図３について説明する。なお、図３の左側は光コネクタ１０の縦断面図で、右側は光コネクタ１０を右から見た部分的側面図である。
まず、楕円カムの開閉手段６８を横にして開閉手段挿入溝２４内に挿入し（図３（ａ））、90度回転させる（図３（ｂ））。
すると、光コネクタ１０の本体１１、蓋２０間は従来の場合（図７参照）と同じく、僅かに開く。そこで、光ファイバ心線５０の先端の被覆５４を除去して光コネクタ１０の両側から挿入し、中央で突き合わせる。
そして、再び楕円カムの開閉手段６８を横にすると（同図（ａ））、調心溝１６内にある裸ファイバ５２を蓋２０がクランプし、メカニカルに接続する。
【００１７】
以上の説明は、全て単心光ファイバの接続についてだけ行ってきた。
しかし、本発明は、多心光ファイバの接続にも利用できる。その場合は、ベース１２に調心溝１６とガイド溝１８を複数本並べて設けることになるが、その他の部分は同じである。
【００１８】
【発明の効果】
（１）開閉手段６８として楕円カムを用いるため、光コネクタ１０の本体１１、蓋２０間を開くのに大きな力を必要としない
（２）光コネクタ１０の本体１１、蓋２０間を開くのに衝撃を与えることがない。したがって、衝撃に伴うベース１２、蓋２０間のズレも発生しない。
【図面の簡単な説明】
【図１】本発明の接続装置の説明図。
【図２】楕円カムの回転と板バネ６６との関係の説明図。
【図３】本発明の楕円カムの開閉手段６８の作用の説明図。
【図４】従来の接続装置の説明図。
【図５】従来の光コネクタ１０の中心軸を含む断面の説明図。
【図６】従来の接続装置の光コネクタ１０の部分の分解説明図。
【図７】従来の光コネクタ１０の中心軸と直角の断面の説明図。
【符号の説明】
１０  光コネクタ
１１  光コネクタ本体
１２  ベース
１４  対向面
１６  調心溝
１８  ガイド溝
２０  蓋（総称）
２０Ａ  中央の蓋
２０Ｂ，２０Ｃ  端の蓋
２２  ヒンジ
２２０  凸部
２２２  凹部
２４  開閉手段挿入溝
３０  バネ
３２  開口部
３４  開閉手段挿入窓
３６  スリット
４０  開閉具
４２  開閉手段
４２０  テーパー
４４  基材
５０  光ファイバ心線
５２  裸ファイバ
５４  被覆
６０  開閉具
６２  フレーム
６２０  前壁
６２２  後壁
６４  回転軸
６４０  中央部
６６  板バネ
６８  開閉手段
７０  つまみ
【図１】
0003725269.tif 000002
【図２】
0003725269.tif 000003
【図３】
0003725269.tif 000004
【図４】
0003725269.tif 000005
【図５】
0003725269.tif 000006
【図６】
0003725269.tif 000007
【図７】
0003725269.tif 000008